(57)【要約】【課題】ボウル面の高い洗浄性能とコンパクト化とを両立可能な汚物流しユニットを提供する。【解決手段】洗浄水を排出する供給口を有する給水源を内部に収納可能とし、給水源の少なくとも一部の前方を覆う前面板を有するライニングと、ライニングの前面に設けられ、凹状のボウル面と、洗浄水の供給を受ける給水口と、給水口に供給された洗浄水をボウル面に吐出する吐出口と、を有するボウル部と、給水源の供給口とボウル部の給水口とを接続する通水部材と、を備え、給水口は、ボウル部の左右方向の中央位置に対して右側又は左側に設けられ、吐出口は、ボウル面を旋回する旋回流となるように洗浄水をボウル面に吐出し、給水口の左右方向の中央位置は、供給口の左右方向の中央位置からみて、ボウル部の左右方向の中央位置から給水口の左右方向の中央位置に向かう方向にずれていることを特徴とする汚物流しユニットである。【選択図】図１
2019076446.tif 000002
【特許請求の範囲】
【請求項１】
洗浄水を排出する供給口を有する給水源を内部に収納可能とし、前記給水源の少なくとも一部の前方を覆う前面板を有するライニングと、
前記ライニングの前面に設けられ、凹状のボウル面と、前記洗浄水の供給を受ける給水口と、前記給水口に供給された前記洗浄水を前記ボウル面に吐出する吐出口と、を有するボウル部と、
前記給水源の前記供給口と前記ボウル部の前記給水口とを接続する通水部材と、
を備え、
前記給水口は、前記ボウル部の左右方向の中央位置に対して右側又は左側に設けられ、
前記吐出口は、前記ボウル面を旋回する旋回流となるように前記洗浄水を前記ボウル面に吐出し、
前記給水口の左右方向の中央位置は、前記供給口の左右方向の中央位置からみて、前記ボウル部の左右方向の中央位置から前記給水口の左右方向の中央位置に向かう方向にずれていることを特徴とする汚物流しユニット。
【請求項２】
前記給水口は、後方を向いて設けられ、
前記通水部材は、前記供給口に接続される第１接続部と、前記給水口に接続される第２接続部と、を有し、
前記第２接続部は、前記給水口に対して前後方向に差し込まれる差し込み部を有し、
前記差し込み部の前後方向の長さは、前記供給口に接続された状態における前記第１接続部の後端から前記ライニングの後端までの前後方向の長さよりも短いことを特徴とする請求項１記載の汚物流しユニット。
【請求項３】
前記第１接続部を支持する支持部材を、さらに備え、
前記ボウル部は、前記ライニングの前面の右側に寄せて設けられ、前記ライニングの前面の左側に点検口を配置可能とする第１取付状態と、前記ライニングの前面の左側に寄せて設けられ、前記ライニングの前面の右側に点検口を配置可能とする第２取付状態と、を有し、
前記第１接続部は、前記ボウル部の前記第１取付状態及び前記第２取付状態に対して共通に用いられ、
前記支持部材は、前記第１取付状態において前記第１接続部の被係合部と係合する第１係合部と、前記第２取付状態において前記第１接続部の被係合部と係合する第２係合部と、を有することを特徴とする請求項２記載の汚物流しユニット。
【発明の詳細な説明】
【技術分野】
【０００１】
本発明の態様は、一般的に、汚物流しユニットに関する。
【背景技術】
【０００２】
人工肛門などを造設した人は、一般にオストメイトと呼ばれている。こうしたオストメイトの方が排泄物などの汚物を処理し易いようにする汚物流しユニットが知られている（例えば、特許文献１）。汚物流しユニットは、給水源を内部に収納するライニングと、ライニングの前面に設けられたボウル部と、を有する。ボウル部は、汚物を受け、給水源から供給される洗浄水により、汚物を排水管などに流す。
【０００３】
また、ボウル部は、給水口を左右方向の中央位置に対して右側又は左側に寄せて配置し、ボウル面に沿うように内部に洗浄水を流すことにより、内部に旋回流を形成することを行っている。これにより、ボウル面に付着した汚物を洗い流し易くすることができる。
【０００４】
汚物流しユニットは、例えば、比較的広いスペースを有する多機能トイレに設けられる。多機能トイレは、車いすの方の利用を考慮していたり、乳幼児用のおむつ替えシートを備えていたりし、オストメイトの方以外にも様々な人に広く利用されている。この際、オストメイトの方は、健常者との見分けが付き難いため、多機能トイレの利用において、気まずい思いをさせてしまう場合がある。
【０００５】
例えば、オストメイトの方が多機能トイレから出てきた際に、車いすの方が順番待ちをしている場合がある。こうした場合に、一見すると多機能トイレを特に利用する必要の無い人が、多機能トイレを利用していたかのように誤解され、オストメイトの方に気まずい思いをさせてしまう可能性がある。
【０００６】
こうした思いをオストメイトの方にさせてしまうことを減らすため、一般のトイレブースの中にも汚物流しユニットを設置することが望まれている。しかしながら、汚物流しユニットのサイズは、一般のトイレブースのサイズと比べて大きく、汚物流しユニットは、一般のトイレブースには導入し難い。
【０００７】
特に、上記のように、旋回流の形成のためにボウル部の給水口を左右方向にずらして配置した場合、給水源の供給口とボウル部の給水口とを直線状に結ぶために、ボウル部を給水源に対して左右方向にずらして配置しなければならず、ライニングなどの大型化の要因となっていた。
【０００８】
一方で、ボウル部の給水口を左右方向の中央に配置した場合には、旋回流を形成し難くなり、ボウル面の洗浄性能を低下させてしまう。このように、汚物流しユニットでは、ボウル面の高い洗浄性能とコンパクト化との両立が求められている。
【先行技術文献】
【特許文献】
【０００９】
【特許文献１】特開２０１６−７７５９４号公報
【発明の概要】
【発明が解決しようとする課題】
【００１０】
本発明は、かかる課題の認識に基づいてなされたものであり、ボウル面の高い洗浄性能とコンパクト化とを両立可能な汚物流しユニットを提供することを目的とする。
【課題を解決するための手段】
【００１１】
第１の発明は、洗浄水を排出する供給口を有する給水源を内部に収納可能とし、前記給水源の少なくとも一部の前方を覆う前面板を有するライニングと、前記ライニングの前面に設けられ、凹状のボウル面と、前記洗浄水の供給を受ける給水口と、前記給水口に供給された前記洗浄水を前記ボウル面に吐出する吐出口と、を有するボウル部と、前記給水源の前記供給口と前記ボウル部の前記給水口とを接続する通水部材と、を備え、前記給水口は、前記ボウル部の左右方向の中央位置に対して右側又は左側に設けられ、前記吐出口は、前記ボウル面を旋回する旋回流となるように前記洗浄水を前記ボウル面に吐出し、前記給水口の左右方向の中央位置は、前記供給口の左右方向の中央位置からみて、前記ボウル部の左右方向の中央位置から前記給水口の左右方向の中央位置に向かう方向にずれていることを特徴とする汚物流しユニットである。
【００１２】
この汚物流しユニットによれば、給水口が、ボウル部の左右方向の中央位置に対して右側又は左側に設けられ、吐出口はボウル面を旋回する旋回流となるように洗浄水をボウル面に吐出することにより、ボウル面の高い洗浄性能を得ることができる。そして、給水口の左右方向の中央位置は、供給口の左右方向の中央位置からみて、ボウル部の左右方向の中央位置から給水口の左右方向の中央位置に向かう方向にずれていることにより、給水口の左右方向の中央位置が供給口の左右方向の中央位置と同じである場合と比べて、ライニングの左右方向の幅を狭くすることができる。従って、ボウル面の高い洗浄性能とコンパクト化とを両立可能な汚物流しユニットを提供することができる。
【００１３】
第２の発明は、第１の発明において、前記給水口は、後方を向いて設けられ、前記通水部材は、前記供給口に接続される第１接続部と、前記給水口に接続される第２接続部と、を有し、前記第２接続部は、前記給水口に対して前後方向に差し込まれる差し込み部を有し、前記差し込み部の前後方向の長さは、前記供給口に接続された状態における前記第１接続部の後端から前記ライニングの後端までの前後方向の長さよりも短いことを特徴とする汚物流しユニットである。
【００１４】
この汚物流しユニットによれば、差し込み部の前後方向の長さが、供給口に接続された状態における第１接続部の後端からライニングの後端までの前後方向の長さよりも短いことにより、施工時に、第１接続部の後端がライニングの後端に当接してしまうことを抑制し、差し込み部を給水口に差し込み易くすることができる。
【００１５】
第３の発明は、第２の発明において、前記第１接続部を支持する支持部材を、さらに備え、前記ボウル部は、前記ライニングの前面の右側に寄せて設けられ、前記ライニングの前面の左側に点検口を配置可能とする第１取付状態と、前記ライニングの前面の左側に寄せて設けられ、前記ライニングの前面の右側に点検口を配置可能とする第２取付状態と、を有し、前記第１接続部は、前記ボウル部の前記第１取付状態及び前記第２取付状態に対して共通に用いられ、前記支持部材は、前記第１取付状態において前記第１接続部の被係合部と係合する第１係合部と、前記第２取付状態において前記第１接続部の被係合部と係合する第２係合部と、を有することを特徴とする汚物流しユニットである。
【００１６】
この汚物流しユニットによれば、第１接続部及び支持部材をボウル部の第１取付状態及び第２取付状態に対して共通に用いることができる。これにより、第１取付状態に対応する第１接続部及び支持部材と、第２取付状態に対応する第１接続部及び支持部材と、を個別に製造する場合と比べて、汚物流しユニットの製造コストを抑えることができる。また、ボウル部を第１取付状態とするか第２取付状態とするかは、トイレ空間によりまちまちであり、施工の現場で決まる場合もある。この際、第１接続部及び支持部材を第１取付状態及び第２取付状態のどちらにも対応できるようにすることにより、第１取付状態と第２取付状態との変更をし易くすることができる。
【発明の効果】
【００１７】
本発明の態様によれば、ボウル面の高い洗浄性能とコンパクト化とを両立可能な汚物流しユニットが提供される。
【図面の簡単な説明】
【００１８】
【図１】実施形態に係る汚物流しユニットを表す正面図である。
【図２】実施形態に係る汚物流しユニットを表す正面図である。
【図３】実施形態に係る汚物流しユニットを表す正面図である。
【図４】実施形態に係る汚物流しユニットを表す正面図である。
【図５】実施形態に係るボウル部を表す斜視図である。
【図６】実施形態に係るボウル部を表す背面図である。
【図７】実施形態に係るライニングを表す正面図である。
【図８】実施形態に係るライニングの一部を拡大して表す拡大断面図である。
【図９】図９（ａ）及び図９（ｂ）は、実施形態に係る汚物流しユニット及び参考の汚物流しユニットを表す平面図である。
【図１０】図１０（ａ）及び図１０（ｂ）は、実施形態に係る汚物流しユニット及び参考の汚物流しユニットを表す平面図である。
【図１１】実施形態に係る第１通水部材を表す斜視図である。
【図１２】実施形態に係る第２通水部材を表す斜視図である。
【図１３】実施形態に係る汚物流しユニットの一部を表す平面図である。
【図１４】実施形態に係る汚物流しユニットの一部を表す平面図である。
【発明を実施するための形態】
【００１９】
以下、本発明の実施の形態について図面を参照しつつ説明する。なお、各図面中、同様の構成要素には同一の符号を付して詳細な説明は適宜省略する。
【００２０】
図１及び図２は、実施形態に係る汚物流しユニットを表す正面図である。  
図１及び図２に表したように、汚物流しユニット１０は、ライニング１２と、ボウル部１４と、を備える。
【００２１】
ライニング１２は、略矩形の中空箱状である。ライニング１２は、トイレ室又はトイレブース内の壁面に取り付けられる。ここで、本願明細書においては、ライニング１２の向く方向を「前方」とし、これと反対の方向を「後方」とする。換言すれば、前方は、ライニング１２の取付壁面から離間する方向であり、後方は、ライニング１２の取付壁面に向かう方向である。また、本願明細書においては、汚物流しユニット１０（ライニング１２）と対面した使用者から見た上方、下方、右側方、及び左側方を、それぞれ「上方」、「下方」、「右側方」、及び「左側方」とする。
【００２２】
ライニング１２は、フレーム２０と、第１前面板２１と、第２前面板２２と、天板２４と、を有する。フレーム２０は、例えば、内部空間を有する略矩形の枠状である。第１前面板２１及び第２前面板２２は、フレーム２０の前面に取り付けられ、フレーム２０の内部空間の前方を覆う。天板２４は、フレーム２０の上面に取り付けられ、フレーム２０の内部空間の上方を覆う。
【００２３】
ライニング１２は、例えば、トイレ室やトイレブース内において、側壁や別のライニングと隣接して設けられる。フレーム２０の内部空間の側方は、トイレ室やトイレブースの側壁、又は別のライニングなどによって覆われる。また、ライニング１２には、フレーム２０の側面に取り付けられ、フレーム２０の内部空間の側方を覆う側板が、必要に応じてさらに設けられる。
【００２４】
ボウル部１４は、凹状に形成され、排泄物などの汚物を受ける。ボウル部１４は、ライニング１２の前面に設けられている。ボウル部１４は、例えば、第１前面板２１を介してフレーム２０に固定される。第１前面板２１は、ボウル部１４を取り付けるための前面板である。第１前面板２１は、例えば、ネジ止めなどにより、フレーム２０に固定される。第１前面板２１の左右方向の幅は、ボウル部１４の左右方向の幅と同程度に設定される。
【００２５】
図１及び図２に表したように、第２前面板２２は、フレーム２０に着脱可能に取り付けられる。図２は、第２前面板２２を取り外した状態を表している。なお、図２では、ライニング１２内に設けられる部材の図示を、便宜的に省略している。
【００２６】
第２前面板２２は、例えば、上端部及び下端部をフレーム２０に上方から係合させることにより、フレーム２０に着脱可能に取り付けられる。第２前面板２２の取付方法は、係合に限ることなく、フレーム２０に対して着脱可能に取り付け可能な任意の取付方法でよい。
【００２７】
第２前面板２２を取り外すと、フレーム２０の内部空間の一部が前方に露出する。これにより、ライニング１２では、フレーム２０の前方の開口のうち、第２前面板２２で覆われる部分を、内部に収納した部材を点検するための点検口２６として利用することができる。第２前面板２２は、換言すれば、第１前面板２１と並べて設けられる点検口２６の前方を覆う。
【００２８】
汚物流しユニット１０は、例えば、吐水部３０と、操作部３１と、鏡３２と、ソープディスペンサ３３と、紙巻器３４と、洗浄ボタン３５と、をさらに備える。吐水部３０、操作部３１、鏡３２、及びソープディスペンサ３３は、第１前面板２１の前面に設けられている。
【００２９】
吐水部３０は、ボウル部１４に向けて水を吐出する。吐水部３０は、例えば、オストメイトの方の手洗いや器具の洗浄などを可能にする。また、吐水部３０は、例えば、ライニング１２内に収納された可撓性のホースに接続されている。吐水部３０は、ホースをライニング１２から引き出すことで、シャワーのように自由な向きに水を吐出することできる。
【００３０】
操作部３１は、操作に応じて吐水部３０の吐止水を切り替える。また、操作部３１は、例えば、吐水部３０から吐出される水の流量や温度を調節可能とする。鏡３２は、例えば、オストメイトの方がストーマなどの器具を確認し易くする。ソープディスペンサ３３は、内部に水石鹸を溜め、操作に応じて水石鹸を供給する。
【００３１】
吐水部３０、操作部３１、鏡３２、及びソープディスペンサ３３は、ボウル部１４の左右方向の幅内に配置される。吐水部３０、操作部３１、鏡３２、及びソープディスペンサ３３は、ボウル部１４よりも側方に位置しない。これにより、第１前面板２１の左右方向の幅が広くなってしまうことを抑制することができる。第１前面板２１の左右方向の幅を、ボウル部１４の幅と同程度に設定することができる。
【００３２】
なお、第１前面板２１に設けられる部材は、上記に限ることなく、任意の部材でよい。第１前面板２１には、少なくとも吐水部３０が設けられていればよい。操作部３１は、例えば、第２前面板２２の前面に設けてもよい。鏡３２及びソープディスペンサ３３は、必要に応じて設けられ、省略可能である。
【００３３】
紙巻器３４及び洗浄ボタン３５は、第２前面板２２の前面に設けられている。紙巻器３４は、トイレットペーパＴＰを着脱可能に保持する。洗浄ボタン３５は、ボウル部１４の洗浄を指示するための操作部材である。洗浄ボタン３５を操作することにより、ボウル部１４に洗浄水が供給され、ボウル部１４内の汚物が外部の排水管などに排出される。
【００３４】
紙巻器３４及び洗浄ボタン３５は、第１前面板２１の前面に設けてもよい。紙巻器３４は、必要に応じて設けられ、省略可能である。ボウル部１４の洗浄を指示するための操作部材は、押しボタン式の洗浄ボタン３５に限ることなく、例えば、光学センサや静電容量センサなどの、手を近付けることで洗浄の指示を可能にする非接触式のセンサなどでもよい。
【００３５】
図３及び図４は、実施形態に係る汚物流しユニットを表す正面図である。  
図１〜図４に表したように、ボウル部１４は、第１取付状態と、第２取付状態と、を有する。第１取付状態は、図１及び図２に表した状態である。第１取付状態のボウル部１４は、ライニング１２の前面の右側に寄せて設けられ、ライニング１２の前面の左側に点検口２６を配置可能とする。第２取付状態は、図３及び図４に表した状態である。第２取付状態のボウル部１４は、ライニング１２の前面の左側に寄せて設けられ、ライニング１２の前面の右側に点検口２６を配置可能とする。
【００３６】
第１取付状態及び第２取付状態は、トイレ室やトイレブースなどの汚物流しユニット１０の設置環境に応じて選択される。例えば、ボウル部１４に対して右側からの方がアプローチし易い場合には、第１取付状態が選択され、ボウル部１４に対して左側からの方がアプローチし易い場合には、第２取付状態が選択される。
【００３７】
図５は、実施形態に係るボウル部を表す斜視図である。  
図６は、実施形態に係るボウル部を表す背面図である。  
図５及び図６に表したように、ボウル部１４は、ボウル面４０と、給水口４２と、吐出口４４と、排出口４６と、を有する。
【００３８】
ボウル面４０は、排泄物などの汚物を受ける凹状である。給水口４２は、洗浄水の供給を受けるための開口である。吐出口４４は、ボウル面４０の上部に設けられ、給水口４２に供給された洗浄水をボウル面４０に吐出する。排出口４６は、ボウル面４０の底部に設けられ、吐出口４４から吐出された洗浄水及び汚物などを外部に排出する。
【００３９】
給水口４２及び吐出口４４は、ボウル部１４の左右方向の中央位置Ｃ１に対して右側に寄せて設けられている。これにより、給水口４２及び吐出口４４は、ボウル面４０を旋回する旋回流ＲＦとなるように洗浄水をボウル面４０に吐出する。なお、給水口４２及び吐出口４４は、上記とは反対に、ボウル部１４の左右方向の中央位置Ｃ１に対して左側に寄せて設けてもよい。
【００４０】
洗浄水は、ライニング１２内を介してボウル部１４に供給される。このため、給水口４２は、後方を向いて設けられている。また、排出口４６は、後方を向いて設けられている。排出口４６から排出された洗浄水や汚物などは、ライニング１２内を介して外部の排水管などに排出される。
【００４１】
図７は、実施形態に係るライニングを表す正面図である。  
図８は、実施形態に係るライニングの一部を拡大して表す拡大断面図である。  
図７及び図８では、ライニング１２において第１前面板２１及び第２前面板２２を取り外した状態を表している。換言すれば、図７及び図８は、フレーム２０の内部を表している。図８は、図７の破線囲み部Ａの部分を拡大して表している。また、図７及び図８では、ボウル部１４の第１取付状態に対応するライニング１２を例示している。
【００４２】
図７及び図８に表したように、汚物流しユニット１０は、洗浄水タンク５０（給水源）と、通水部材５２と、排水用配管５４と、電気温水器５６と、をさらに備える。洗浄水タンク５０、通水部材５２、排水用配管５４、及び電気温水器５６のそれぞれは、フレーム２０の内部に設けられる。
【００４３】
洗浄水タンク５０は、タンク本体６０と、供給口６２と、駆動部６４と、手動操作部６６と、を有する。タンク本体６０は、内部に洗浄水を貯水可能な中空箱状である。タンク本体６０は、給水管と接続され、給水管から供給された洗浄水を内部に貯水する。供給口６２は、タンク本体６０内に貯水された洗浄水をタンク本体６０の外部に排出する。供給口６２は、例えば、タンク本体６０の底部に下方を向いて設けられる。
【００４４】
また、供給口６２は、例えば、タンク本体６０の左右方向の中央部に設けられる。ここで、「中央部に設けられる」とは、例えば、タンク本体６０の左右方向の中央位置から供給口６２の左右方向の中央位置までの距離が、タンク本体６０の左端から供給口６２の左右方向の中央位置までの距離、及びタンク本体６０の右端から供給口６２の左右方向の中央位置までの距離のそれぞれよりも短いことをいう。
【００４５】
駆動部６４は、電動式であり、洗浄ボタン３５の操作に応じてタンク本体６０内に設けられた弁機構（図示は省略）を駆動する。これにより、タンク本体６０内に貯水された洗浄水が、供給口６２から排出される。すなわち、タンク本体６０内に貯水された洗浄水が、ボウル部１４に供給される。
【００４６】
手動操作部６６は、操作部材６６ａを有する。操作部材６６ａは、例えば、ワイヤ状である。手動操作部６６は、ワイヤ状の操作部材６６ａが引っ張られた際に、その操作力をタンク本体６０内の弁機構に伝達することにより、手動で弁機構を操作可能とする。これにより、停電などで駆動部６４が動作しない状態でも、手動操作部６６の操作によってボウル部１４に洗浄水を供給することが可能となる。なお、操作部材６６ａの形状は、ワイヤ状に限ることなく、例えば、レバー状など、操作力を弁機構に伝達可能な任意の形状でよい。
【００４７】
このように、ライニング１２は、洗浄水を排出する供給口６２を有する給水源である洗浄水タンク５０を内部に収納可能とする。第１前面板２１は、フレーム２０に取り付けられた状態において、洗浄水タンク５０の少なくとも一部の前方を覆う。
【００４８】
洗浄水タンク５０は、手動操作部６６を点検口２６側に向けた状態でライニング１２内に収納される。従って、点検口２６が左側に配置される第１取付状態においては、洗浄水タンク５０は、タンク本体６０を右側に寄せ、手動操作部６６を左側に向けた状態で、ライニング１２内に収納される。そして、点検口２６が右側に配置される第２取付状態においては、洗浄水タンク５０は、上記と反対に、タンク本体６０を左側に寄せ、手動操作部６６を右側に向けた状態で、ライニング１２内に収納される。
【００４９】
これにより、第２前面板２２を取り外すことで、点検口２６から手動操作部６６を容易に操作することができる。また、手動操作部６６の操作部材６６ａは、第２前面板２２を取り外した状態において、点検口２６から前方に露出する。これにより、操作部材６６ａをより操作し易くすることができる。
【００５０】
なお、ライニング１２の内部に設けられる給水源は、洗浄水タンク５０に限ることなく、例えば、フラッシュバルブや電磁弁などでもよい。給水源は、洗浄水を排出する供給口を有し、供給口からの洗浄水の排出、及び排出の停止を制御可能な任意の部材でよい。
【００５１】
通水部材５２は、洗浄水タンク５０の供給口６２とボウル部１４の給水口４２とを接続する。これにより、洗浄水タンク５０の供給口６２から排出された洗浄水が、通水部材５２を介して給水口４２に供給され、前述のように、ボウル面４０を旋回する旋回流ＲＦとなるように、洗浄水が吐出口４４からボウル面４０に吐出される。
【００５２】
排水用配管５４の一端は、ボウル部１４の排出口４６と接続される。排水用配管５４の他端は、例えば、建築の排水管などに接続される。これにより、ボウル部１４の排出口４６から排出された洗浄水や汚物などが、排水用配管５４を介して外部の排水管などに排出される。
【００５３】
電気温水器５６は、給水管と操作部３１とに接続されている。電気温水器５６は、給水管から供給された水を加熱してお湯に変換し、お湯を操作部３１に供給する。操作部３１は、電気温水器５６と接続されるとともに、給水管と接続される。操作部３１は、使用者の操作に応じて電気温水器５６から供給されたお湯と給水管から供給された水とを混合し、混合後のお湯又は水を吐水部３０に供給する。これにより、使用者の操作部３１の操作に応じた温度のお湯又は水を吐水部３０から吐出することができる。
【００５４】
電気温水器５６は、例えば、直方体状である。ライニング１２内に取り付けられた状態において、電気温水器５６の左右方向の幅は、点検口２６の左右方向の幅よりも広い。また、ライニング１２内に取り付けられた状態において、電気温水器５６の前後方向の幅は、点検口２６の左右方向の幅よりも狭い。換言すれば、電気温水器５６の長手方向の幅は、点検口２６の左右方向の幅よりも広く、電気温水器５６の短手方向の幅は、点検口２６の左右方向の幅よりも狭い。
【００５５】
このため、電気温水器５６の取り付けにおいては、例えば、短手側を点検口２６に向けて挿入した後、９０°回転させながら全体を点検口２６からライニング１２内に挿入する。
【００５６】
このように、電気温水器５６の幅及び点検口２６の幅を設定することにより、例えば、電気温水器５６を設けた場合にも、点検口２６の左右方向の幅を電気温水器５６の長手方向の幅以上に設定する場合と比べて、点検口２６の左右方向の幅を狭くすることができる。すなわち、ライニング１２の内部の空間を有効的に活用し、ライニング１２の左右方向の幅を狭くすることができる。従って、汚物流しユニット１０をコンパクト化することができる。
【００５７】
なお、電気温水器５６は、必要に応じて設けられ、省略可能である。吐水部３０から吐出される水は、給水管などから供給されたままの冷水のみでもよい。また、建築に給湯管が設けられている場合には、給湯管から供給されたお湯を操作部３１で水と混合してもよい。
【００５８】
図９（ａ）及び図９（ｂ）は、実施形態に係る汚物流しユニット及び参考の汚物流しユニットを表す平面図である。  
図９（ａ）は、実施形態に係る汚物流しユニット１０を表す。図９（ｂ）は、参考の汚物流しユニット１０ａを表す。図９（ａ）及び図９（ｂ）では、ボウル部１４を第１取付状態とした場合を例示している。なお、参考の汚物流しユニット１０ａにおいて、各構成要素には、便宜的に実施形態に係る汚物流しユニット１０と同符号を付して説明を行う。
【００５９】
図９（ｂ）に例示した参考例では、ボウル部１４の給水口４２が右側に寄せて設けられ、洗浄水タンク５０の供給口６２が中央部に設けられている。そして、給水口４２の左右方向の中央位置Ｃ２と、供給口６２の左右方向の中央位置Ｃ３と、が合致している。このように、給水口４２の左右方向の中央位置Ｃ２を供給口６２の左右方向の中央位置Ｃ３と合わせようとすると、図９（ｂ）に表したように、ライニング１２の左右方向の幅が無駄に広くなってしまう。
【００６０】
そこで、実施形態に係る汚物流しユニット１０では、図９（ａ）に表したように、ボウル部１４が、洗浄水タンク５０に対して、図９（ｂ）の参考例よりも右方向にずれて配置されている。そして、給水口４２の左右方向の中央位置Ｃ２と、供給口６２の左右方向の中央位置Ｃ３と、が異なる。すなわち、給水口４２の左右方向の中央位置Ｃ２は、供給口６２の左右方向の中央位置Ｃ３からずれている。ずれている方向は、ボウル部１４の左右方向の中央位置Ｃ１から給水口４２の左右方向の中央位置Ｃ２に向かう方向Ｄ１である。つまり、給水口４２の左右方向の中央位置Ｃ２は、供給口６２の左右方向の中央位置Ｃ３からみて、ボウル部１４の左右方向の中央位置Ｃ１から給水口４２の左右方向の中央位置Ｃ２に向かう方向Ｄ１に、ずれている。このようにボウル部１４をライニング１２の前面に設けることにより、ライニング１２の内部に無駄な空間が生じることを抑制し、ライニング１２の左右方向の幅を狭くすることができる。すなわち、給水口４２の左右方向の中央位置Ｃ２を、ライニング１２の左右方向の幅が狭くなる方向に、供給口６２の左右方向の中央位置Ｃ３と異ならせることにより、ライニング１２の内部に無駄な空間が生じることを抑制し、ライニング１２の左右方向の幅を狭くすることができる。
【００６１】
図１０（ａ）及び図１０（ｂ）は、実施形態に係る汚物流しユニット及び参考の汚物流しユニットを表す平面図である。  
図１０（ａ）は、実施形態に係る汚物流しユニット１０を表す。図１０（ｂ）は、参考の汚物流しユニット１０ｂを表す。図１０（ａ）及び図１０（ｂ）では、ボウル部１４を第２取付状態とした場合を例示している。なお、参考の汚物流しユニット１０ｂにおいて、各構成要素には、便宜的に実施形態に係る汚物流しユニット１０と同符号を付して説明を行う。
【００６２】
図１０（ｂ）に表したように、第２取付状態においても、第１取付状態と同様に、ボウル部１４の給水口４２が右側に寄せて設けられ、洗浄水タンク５０の供給口６２が中央部に設けられている場合に、給水口４２の左右方向の中央位置Ｃ２を供給口６２の左右方向の中央位置Ｃ３と合わせようとすると、ライニング１２の左右方向の幅が無駄に広くなってしまう。
【００６３】
従って、実施形態に係る汚物流しユニット１０では、図１０（ａ）に表したように、第２取付状態においても、ボウル部１４が、ライニング１２の左右方向の幅が狭くなる方向に、給水口４２の左右方向の中央位置Ｃ２を、供給口６２の左右方向の中央位置Ｃ３と異ならせて、ライニング１２の前面に設けられている。これにより、第１取付状態と同様に、ライニング１２の左右方向の幅を狭くすることができる。
【００６４】
図９（ａ）及び図１０（ａ）に表したように、ボウル部１４を第２取付状態とした場合の通水部材５２の形状は、ボウル部１４を第１取付状態とした場合の通水部材５２の形状と異なる。従って、以下では、第１取付状態において用いられる通水部材５２を、第１通水部材７１と称し、第２取付状態において用いられる通水部材５２を、第２通水部材７２と称す。
【００６５】
図１１は、実施形態に係る第１通水部材を表す斜視図である。  
図１１に表したように、第１通水部材７１は、第１接続部８１と、第２接続部８２ａと、を有する。第１接続部８１は、洗浄水タンク５０の供給口６２に接続される。第２接続部８２ａは、ボウル部１４の給水口４２に接続される。
【００６６】
第１接続部８１は、例えば、Ｌ字状に屈曲したパイプ状である。第１接続部８１は、洗浄水タンク５０の供給口６２と接続される第１接続口９１と、第２接続部８２ａと接続される第２接続口９２と、を有する。第１接続口９１は、供給口６２を受ける凹状である。第１接続口９１は、外側に向かって延びるフランジ部９１ｆを有する。第１接続部８１は、第１通水部材７１の取り付けに用いられる一対の被係合部９４を有する。各被係合部９４は、フランジ部９１ｆの外周に設けられ、フランジ部９１ｆの外周から下方に突出する突起状である。
【００６７】
第２接続部８２ａは、第１部分１０１と、第２部分１０２と、を有する。第１部分１０１は、第１接続部８１の第２接続口９２と接続される。第１部分１０１は、例えば、接着により、第２接続口９２に固定される。第２部分１０２は、ボウル部１４の給水口４２と接続される。第２部分１０２の延びる方向は、第１部分１０１の延びる方向に対して傾斜している。すなわち、第２接続部８２ａは、曲げられたパイプ状である。これにより、給水口４２の左右方向の中央位置が、供給口６２の左右方向の中央位置と異なる場合においても、給水口４２と供給口６２とを接続することが可能となる。
【００６８】
第１部分１０１と第２部分１０２との成す角度の劣角θ１は、９０°よりも大きい。これにより、第２接続部８２ａ内を流れる洗浄水の圧力損失を抑制することができる。第２接続部８２ａの形状は、上記に限ることなく、例えば、円弧状に湾曲した形状などでもよい。
【００６９】
第２接続部８２ａは、給水口４２に対して前後方向に差し込まれる差し込み部１０４を有する。差し込み部１０４は、例えば、第２部分１０２の先端部である。差し込み部１０４の前後方向の長さＬ１１は、供給口６２に接続された状態における第１接続部８１の後端からライニング１２の後端までの前後方向の長さＬ２１よりも短い（図９（ａ）参照）。
【００７０】
図１２は、実施形態に係る第２通水部材を表す斜視図である。  
図１２に表したように、第２通水部材７２は、第１接続部８１と、第２接続部８２ｂと、を有する。第１接続部８１は、第１通水部材７１の第１接続部８１と同じである。このように、第１接続部８１は、第１通水部材７１と第２通水部材７２とに共通に用いられる。換言すれば、第１接続部８１は、ボウル部１４の第１取付状態及び第２取付状態に対して共通に用いられる。
【００７１】
第２接続部８２ｂは、第１部分１１１と、第２部分１１２と、を有する。第２接続部８２ｂの構成は、第１部分１１１及び第２部分１１２の長さや接続角度などが異なるのみで、第１通水部材７１の第２接続部８２ａの構成と同様であるから、詳細な説明は省略する。第２接続部８２ｂにおいても、第１部分１１１と第２部分１１２との成す角度の劣角θ２は、９０°よりも大きい。
【００７２】
第２接続部８２ｂは、給水口４２に対して前後方向に差し込まれる差し込み部１１４を有する。差し込み部１１４は、例えば、第２部分１１２の先端部である。差し込み部１１４の前後方向の長さＬ１２は、供給口６２に接続された状態における第１接続部８１の後端からライニング１２の後端までの前後方向の長さＬ２２よりも短い（図１０（ａ）参照）。
【００７３】
図１３及び図１４は、実施形態に係る汚物流しユニットの一部を表す平面図である。  
図１３は、第１取付状態を表し、図１４は、第２取付状態を表している。  
図１３及び図１４に表したように、汚物流しユニット１０は、第１通水部材７１又は第２通水部材７２の第１接続部８１を支持する支持部材１２０を、さらに備える。支持部材１２０は、ライニング１２の内部に設けられる。支持部材１２０は、例えば、ライニング１２の内部において、ネジ止めなどにより、フレーム２０に固定される。
【００７４】
支持部材１２０は、例えば、平板状であり、第１接続部８１のフランジ部９１ｆと係合することにより、第１接続部８１を支持する。また、支持部材１２０は、一対の第１係合部１２１と、一対の第２係合部１２２と、を有する。一対の第１係合部１２１は、第１取付状態において第１接続部８１の一対の被係合部９４と係合する。一対の第２係合部１２２は、第２取付状態において第１接続部８１の一対の被係合部９４と係合する。各第１係合部１２１及び各第２係合部１２２は、例えば、突起状の各被係合部９４と係合する貫通孔状である。
【００７５】
支持部材１２０は、各第１係合部１２１を各被係合部９４と係合させることにより、例えば、第１通水部材７１の位置を決め易くする。同様に、支持部材１２０は、各第２係合部１２２を各被係合部９４と係合させることにより、例えば、第２通水部材７２の位置を決め易くする。
【００７６】
このように、汚物流しユニット１０では、第２接続部８２ａと第２接続部８２ｂとを付け替えるだけで、第１取付状態と第２取付状態とに対応することができる。汚物流しユニット１０では、第１接続部８１や支持部材１２０などの多くの部材を第１取付状態と第２取付状態とに共通に用いることができる。これにより、第１取付状態と第２取付状態とのそれぞれに対応させて各部材を製造する場合と比べて、汚物流しユニット１０の製造コストを抑えることができる。
【００７７】
この例では、突起状の被係合部９４と、貫通孔状の第１係合部１２１及び第２係合部１２２とを示している。これとは反対に、被係合部９４を貫通孔状とし、第１係合部１２１及び第２係合部１２２を突起状としてもよい。被係合部９４、第１係合部１２１、及び第２係合部１２２のそれぞれの形状は、上記に限ることなく、互いに係合が可能な任意の形状でよい。また、この例では、被係合部９４、第１係合部１２１、及び第２係合部１２２をそれぞれ２つずつ設けている。被係合部９４、第１係合部１２１、及び第２係合部１２２の数は、２つに限ることなく、１つでもよいし、３つ以上でもよい。
【００７８】
以上、説明したように、本実施形態に係る汚物流しユニット１０によれば、給水口４２及び吐出口４４が、ボウル部１４の左右方向の中央位置に対して右側又は左側に設けられ、ボウル面４０を旋回する旋回流ＲＦとなるように洗浄水をボウル面４０に吐出することにより、ボウル面４０の高い洗浄性能を得ることができる。そして、ボウル部１４が、ライニング１２の左右方向の幅が狭くなる方向に、給水口４２の左右方向の中央位置を、供給口６２の左右方向の中央位置と異ならせて、ライニング１２の前面に設けられていることにより、給水口４２の左右方向の中央位置が供給口６２の左右方向の中央位置と同じである場合と比べて、ライニング１２の左右方向の幅を狭くすることができる。従って、ボウル面４０の高い洗浄性能とコンパクト化とを両立可能な汚物流しユニット１０を提供することができる。
【００７９】
汚物流しユニット１０では、例えば、ライニング１２の左右方向の幅を一般のトイレブースの幅に対応した５５０ｍｍ以下に設定することができる。これにより、一般のトイレブースに汚物流しユニット１０を設置することが可能となり、オストメイトの方に気まずい思いをさせてしまうことを抑制することができる。
【００８０】
汚物流しユニット１０では、差し込み部１０４、１１４の前後方向の長さＬ１１、Ｌ１２が、供給口６２に接続された状態における第１接続部８１の後端からライニング１２の後端までの前後方向の長さＬ２１、Ｌ２２よりも短いことにより、施工時に、第１接続部８１の後端がライニング１２の後端に当接してしまうことを抑制し、差し込み部１０４、１１４を給水口４２に差し込み易くすることができる。
【００８１】
汚物流しユニット１０では、支持部材１２０が、第１取付状態において第１接続部８１の被係合部９４と係合する第１係合部１２１と、第２取付状態において第１接続部８１の被係合部９４と係合する第２係合部１２２と、を有する。これにより、第１接続部８１及び支持部材１２０をボウル部１４の第１取付状態及び第２取付状態に対して共通に用いることができる。これにより、第１取付状態に対応する第１接続部８１及び支持部材１２０と、第２取付状態に対応する第１接続部８１及び支持部材１２０と、を個別に製造する場合と比べて、汚物流しユニット１０の製造コストを抑えることができる。また、ボウル部１４を第１取付状態とするか第２取付状態とするかは、トイレ空間によりまちまちであり、施工の現場で決まる場合もある。この際、第１接続部８１及び支持部材１２０を第１取付状態及び第２取付状態のどちらにも対応できるようにすることにより、第１取付状態と第２取付状態との変更をし易くすることができる。
【００８２】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、汚物流しユニット１０などが備える各要素の形状、寸法、材質、配置などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００８３】
１０ 汚物流しユニット、  １２ ライニング、  １４ ボウル部、  ２０ フレーム、  ２１ 第１前面板、  ２２ 第２前面板、  ２４ 天板、  ２６ 点検口、  ３０ 吐水部、  ３１ 操作部、  ３２ 鏡、  ３３ ソープディスペンサ、  ３４ 紙巻器、  ３５ 洗浄ボタン、  ４０ ボウル面、  ４２ 給水口、  ４４ 吐出口、  ４６ 排出口、  ５０ 洗浄水タンク、  ５２ 通水部材、  ５４ 排水用配管、  ５６ 電気温水器、  ６０ タンク本体、  ６２ 供給口、  ６４ 駆動部、  ６６ 手動操作部、  ７１ 第１通水部材、  ７２ 第２通水部材、  ８１ 第１接続部、  ８２ａ、８２ｂ 第２接続部、  ９１ 第１接続口、  ９２ 第２接続口、  ９４ 被係合部、  １０１、１１１ 第１部分、  １０２、１１２ 第２部分、  １０４、１１４ 差し込み部、  １２０ 支持部材、  １２１ 第１係合部、  １２２ 第２係合部
【図１】
2019076446.tif 000003
【図２】
2019076446.tif 000004
【図３】
2019076446.tif 000005
【図４】
2019076446.tif 000006
【図５】
2019076446.tif 000007
【図６】
2019076446.tif 000008
【図７】
2019076446.tif 000009
【図８】
2019076446.tif 000010
【図９】
2019076446.tif 000011
【図１０】
2019076446.tif 000012
【図１１】
2019076446.tif 000013
【図１２】
2019076446.tif 000014
【図１３】
2019076446.tif 000015
【図１４】
2019076446.tif 000016